【手続補正書】
【提出日】平成16年7月15日(2004.7.15)
【手続補正１】
【補正対象書類名】明細書
【補正対象項目名】発明の名称
【補正方法】変更
【補正の内容】
【発明の名称】燃料電池、電気機器、および電気機器の駆動方法
【手続補正２】
【補正対象書類名】明細書
【補正対象項目名】特許請求の範囲
【補正方法】変更
【補正の内容】
【特許請求の範囲】
【請求項１】
作動時に発熱する発熱部と、
前記発熱部に隣接して設けられ、前記発熱部において発生した熱を除熱するために設けられた放熱部と、
電力供給源であり、燃料が常温で液体である燃料電池と、を少なくとも備え、
前記燃料電池は、燃料供給部と発電部とによりなり、
前記燃料供給部の少なくとも一部は前記放熱部中に設けられていることを特徴とする電気機器。
【請求項２】
前記燃料供給部は燃料タンクと燃料流路とからなり、前記燃料流路の少なくとも一部が前記放熱部中に設けられていることを特徴とする請求項１記載の電気機器。
【請求項３】
前記燃料タンクは、前記発熱部の熱を吸収可能な位置に設けられたことを特徴とする請求項２記載の電気機器。
【請求項４】
前記放熱部と、前記発熱部と、前記燃料タンクとが積層されて形成されていることを特徴とする請求項２又は３記載の電気機器。
【請求項５】
前記燃料供給部は、前記発熱部の発熱状態に応じて供給する燃料の流量を調整する流量調整部を有することを特徴とする請求項１から４のいずれかに記載の電気機器。
【請求項６】
表示部をさらに備え、かつ前記発熱部がＣＰＵを含む電子回路を収容してなることを特徴とする請求項１から５のいずれかに記載の電気機器。
【請求項７】
前記発電部が前記発熱部もしくは前記表示部に隣接して設けられていることを特徴とする請求項６に記載の電気機器。
【請求項８】
前記発電部は、電解質と、前記電解質を挟んで設けられた燃料極および酸化剤極とを少なくとも備え、前記燃料極が前記表示部に接する側に設けられていることを特徴とする請求項６記載の電気機器。
【請求項９】
請求項１記載の電気機器の駆動方法であって、
前記放熱部中に設けられた前記燃料供給部に供給された液体燃料によって前記発熱部を冷却し、かつ前記発熱部の熱を吸収した液体燃料を前記発電部に供給することを特徴とする電気機器の駆動方法。
【請求項１０】
作動時に発熱する発熱部を含む電気機器に電力を供給する燃料電池であって、
前記発熱部の熱を吸収した燃料を前記燃料極に供給可能に構成された燃料供給部と、
前記発熱部の発熱状態に応じて前記燃料極に供給する燃料の流量を調整する流量調整部と、
を有することを特徴とする燃料電池。
【請求項１１】
前記燃料は、常温で液体であることを特徴とする請求項１０記載の燃料電池。
【手続補正３】
【補正対象書類名】明細書
【補正対象項目名】０００１
【補正方法】変更
【補正の内容】
【０００１】
【発明の詳細な説明】
【発明の属する技術分野】
本発明は、燃料電池、電気機器および電気機器の駆動方法に関する。
【手続補正４】
【補正対象書類名】明細書
【補正対象項目名】００１０
【補正方法】変更
【補正の内容】
【００１０】
【課題を解決するための手段】
本発明によれば、作動時に発熱する発熱部と、発熱部に隣接して設けられ、発熱部において発生した熱を除熱するために設けられた放熱部と、電力供給源であり、燃料が常温で液体である燃料電池と、を少なくとも備え、燃料電池は、燃料供給部と発電部とによりなり、燃料供給部の少なくとも一部は放熱部中に設けられていることを特徴とする電気機器が提供される。燃料供給部は、発電部に供給する燃料に発熱部の熱を伝達可能に構成され、発熱部の熱を吸収した燃料を発電部に供給することができる。
【手続補正５】
【補正対象書類名】明細書
【補正対象項目名】００１３
【補正方法】削除
【補正の内容】
【手続補正６】
【補正対象書類名】明細書
【補正対象項目名】００１５
【補正方法】変更
【補正の内容】
【００１５】
本発明の電気機器において、燃料供給部は燃料タンクと燃料流路とを含むことができ、燃料流路の少なくとも一部を放熱部中に設けることができる。放熱部は、発熱部の放熱を助けるための部品である。放熱部は、例えば多数の放熱フィンを持つ金属により構成することができる。
本発明の電気機器において、燃料タンクは、発熱部の熱を吸収可能な位置に設けることができる。
本発明の電気機器において、放熱部と、発熱部と、燃料タンクとを積層して形成することができる。
本発明の電気機器において、燃料供給部は、発熱部の発熱状態に応じて供給する燃料の流量を調整する流量調整部を有することができる。
本発明の電気機器は、表示部をさらに備えることができ、かつ発熱部がＣＰＵを含む電子回路を収容した構成とすることができる。この構成により、ＣＰＵの熱を燃料電池の燃料に吸収させることができるので、ＣＰＵを効率的に冷却することができるとともに、燃料電池の電池効率および出力密度を向上することができる。
本発明の電気機器において、発電部は、発熱部もしくは表示部に隣接して設けることができる。
本発明の電気機器において、発電部は、電解質と、電解質を挟んで設けられた燃料極および酸化剤極とを少なくとも備えることができ、燃料極は、表示部に接する側に設けることができる。
本発明によれば、上記電気機器の駆動方法であって、放熱部中に設けられた燃料供給部に供給された液体燃料によって発熱部を冷却し、かつ発熱部の熱を吸収した液体燃料を発電部に供給することを特徴とする電気機器の駆動方法が提供される。
【手続補正７】
【補正対象書類名】明細書
【補正対象項目名】００１６
【補正方法】変更
【補正の内容】
【００１６】
本発明によれば、作動時に発熱する発熱部を含む電気機器に電力を供給する燃料電池であって、発熱部の熱を吸収した燃料を燃料極に供給可能に構成された燃料供給部と、発熱部の発熱状態に応じて燃料極に供給する燃料の流量を調整する流量調整部と、を有することを特徴とする燃料電池が提供される。ここで、燃料は、常温で液体とすることができる。  燃料電池は、燃料が燃料極に直接供給される直接型とすることができる。直接型の燃料電池において、燃料を加熱することにより、電池効率や出力密度を向上させることができる。また、燃料電池は、固体電解質膜として高分子膜を用いる高分子電解質型とすることができる。
【手続補正８】
【補正対象書類名】明細書
【補正対象項目名】００１７
【補正方法】変更
【補正の内容】
【００１７】
燃料供給部はさらに、発熱部の発熱状態を検知する温度センサを含むことができる。ここで、発熱状態とは、発熱部自体の温度でもよく、発熱部の熱を吸収した燃料の温度でもよい。流量調整部は、たとえば圧電素子等の送液ポンプにより構成することができる。
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】削除
【補正の内容】
【手続補正１９】
【補正対象書類名】明細書
【補正対象項目名】００２８
【補正方法】削除
【補正の内容】
【手続補正２０】
【補正対象書類名】明細書
【補正対象項目名】００２９
【補正方法】削除
【補正の内容】
【手続補正２１】
【補正対象書類名】明細書
【補正対象項目名】００３０
【補正方法】削除
【補正の内容】